(57)【要約】【課題】  コンビネーションドライブのレーザパワー制御装置をコンパクトにする。【解決手段】  コンビネーションドライブのレーザパワーを制御するレーザパワー制御装置において、１つのフォトディテクタ（８）で第１の光ディスクに照射される第１のレーザ光線（Ｌｃ）および第２の光ディスクに照射される第２のレーザ光線（Ｌｄ）を受光する。受光した第１および第２のレーザ光線（Ｌｃ、Ｌｄ）に基づいてフォトディテクタで生成される信号は、１つの接点（１１）を介して、それぞれのレーザ光線の駆動制御回路（ＬＰｃｄ、ＬＰｄｖｄ）に分配される。【選択図】  図１ 
2005085312.tif 000002
【特許請求の範囲】
【請求項１】
第１の光ディスクおよび第２の光ディスクに排他的にレーザ光線を照射して情報の記録および読出の何れかを行うコンビネーションドライブにおいて、当該レーザ光線の出力を制御するレーザパワー制御装置であって、
第１の光ディスクに照射する第１のレーザ光線を発生する第１のレーザ光線発生手段と、
前記第１のレーザ光線発生手段の駆動電流を生成する第１の駆動電流生成手段と、
第２の光ディスクに照射する第２のレーザ光線を発生する第２のレーザ光線発生手段と、
前記第２のレーザ光線発生手段の駆動電流を発生する第２の駆動電流生成手段と、
前記第１のレーザ光線と前記第２のレーザ光線を排他的に受光して、受光したレーザ光線の強度を表す第１のレーザ光線強度信号を生成するレーザ光線強度検出手段と、
前記第１のレーザ光線強度信号に基づいて、前記第１のレーザ光線発生手段を制御する第１のレーザ光線発生電流制御手段と、
前記第１のレーザ光線強度信号に基づいて、前記第２のレーザ光線発生手段を制御する第２のレーザ光線発生電流制御手段とを備えるレーザパワー制御装置。
【請求項２】
前記第１のレーザ光線発生電流制御手段は、第１の所定のゲインで前記第１のレーザ光線強度信号を増幅する第１のゲイン可変手段を備え、前記第１のレーザ光線および前記第２のレーザ光線の強度の違いを補償することを特徴とする、請求項１に記載のレーザパワー増幅装置。
【請求項３】
前記第１のレーザ光線発生電流制御手段は、さらに第１の所定のオフセット値で前記第１のレーザ光線強度信号をオフセット調整する第１のオフセット調整手段を備え、前記第１のレーザ光線および前記第２のレーザ光線の強度の違いをさらに補償することを特徴とする、請求項２に記載のレーザパワー増幅装置。
【請求項４】
前記第２のレーザ光線発生電流制御手段は、第２の所定のゲインで前記第１のレーザ光線強度信号を増幅する第２のゲイン可変手段を備え、前記第１のレーザ光線および前記第２のレーザ光線の強度の違いを補償することを特徴とする、請求項１に記載のレーザパワー増幅装置。
【請求項５】
前記第２のレーザ光線発生電流制御手段は、さらに第２の所定のオフセット値で前記第１のレーザ光線強度信号をオフセット調整する第２のオフセット調整手段を備え、前記第１のレーザ光線および前記第２のレーザ光線の強度の違いをさらに補償することを特徴とする、請求項４に記載のレーザパワー増幅装置。
【請求項６】
前記第２のレーザ光線発生電流制御手段は、前記第２のゲインで増幅された第１のレーザ光線強度信号を、第１の所定基準電位との差分に基づいて増幅するオペアンプを備える請求項４に記載のレーザパワー増幅装置。
【請求項７】
前記第１の所定基準電位は可変であることを特徴とする請求項４に記載のレーザパワー増幅装置。
【請求項８】
前記第２のレーザ光線発生電流制御手段は、前記オフセット調整されたレーザ光線強度信号に基づいて、前記第２のレーザ光線発生手段を制御することを特徴とする請求項１に記載のレーザパワー制御装置。
【請求項９】
前記第２のレーザ光線発生電流制御手段は、前記オフセット調整されたレーザ光線強度信号を、第２の所定のゲインで増幅する第２のゲイン可変手段を備える請求項８に記載のレーザパワー制御装置。
【請求項１０】
前記第２のレーザ光線発生電流制御手段は、第２の所定のゲインで増幅されたレーザ光線強度信号を、第２の所定基準電位との差分に基づいて増幅するオペアンプを備える請求項９に記載のレーザパワー制御装置。
【請求項１１】
前記第２の所定基準電位は可変であることを特徴とする請求項１１に記載のレーザパワー増幅装置。
【請求項１２】
前記第２のレーザ光線発生電流制御手段は、第１の所定のゲインで増幅されたレーザ光線強度信号を、第２の所定基準電位との差分に基づいて増幅するオペアンプを備える請求項２に記載のレーザパワー制御装置。
【請求項１３】
前記第２の所定基準電位は可変であることを特徴とする請求項１２に記載のレーザパワー増幅装置。
【請求項１４】
前記第１のレーザ光線発生電流制御手段は、第１の所定のゲインで増幅された第１のレーザ光線強度信号をサンプルホールドするサンプルホールド回路をさらに備え、
前記オペアンプは、前記サンプルホールドされた第１のレーザ光線強度信号と、第２の所定基準電位との差分に基づいて増幅することを特徴とする請求項２に記載のレーザパワー増幅装置。
【請求項１５】
前記第２の所定基準電位は可変であることを特徴とする請求項１４に記載のレーザパワー増幅装置。
【請求項１６】
前記第２のレーザ光線発生手段の駆動電流を制御する第２の駆動電流生成手段は、第１のレーザ光線発生電流制御手段によって制御されることを特徴とする請求項１に記載のレーザパワー制御装置。
【請求項１７】
前記第１の第１のレーザ光線発生電流制御手段は、さらに前記第１のレーザ光線強度信号の極性を反転させる極性反転器を備える請求項１６に記載のレーザパワー制御装置。
【請求項１８】
前記オペアンプは極性可変であることを特徴とする請求項１２に記載のレーザパワー制御装置。
【請求項１９】
前記オペアンプは所定のタイミングで極性可変であることを特徴とする請求項１２に記載のレーザパワー制御装置。
【請求項２０】
さらに、前記第２のレーザ光線を受光して、第２のレーザ光線強度信号を生成する第２のレーザ光線強度検出手段と、
前記第１のレーザ光線強度信号をサンプルホールドする第２のサンプルホールド回路と、
前記第１のレーザ光線強度信号を所定のゲインで増幅する可変ゲイン回路と、
前記所定のゲインで増幅された第１のレーザ光線強度信号をサンプルホールドする第３のサンプルホールド回路と、
前記第２のレーザ光線強度信号に基づいて、前記第２のサンプルホールド回路の出力、前記第３のサンプルホールド回路の出力、および前記第１のレーザ光線強度信号の何れかを選択して出力する第１のスイッチと、
前記第２のレーザ光線強度信号に基づいて、第１のスイッチの出力と前記第１のレーザ光線強度信号の何れかを選択して出力する第２のスイッチとを備え、
第２のレーザ光線発生電流制御手段は、前記第２のスイッチの出力に基づいて、前記第２のレーザ光線発生手段を制御することを特徴とする請求項１に記載のレーザパワー制御装置。
【発明の詳細な説明】
【技術分野】
【０００１】
本発明は、異なる種類の光ディスクに対して異なるレーザ光を照射してそれぞれに情報を記録或いは記録された情報を読み出すコンビネーションドライブにおけるレーザパワー制御を行うレーザパワー制御装置に関し、さらに詳述すれば、異なるレーザ光を共通のフォトディテクタで受光して、同レーザパワーの制御を行うレーザパワー制御装置に関する。
【背景技術】
【０００２】
近年、複数種類の光ディスクを用いて、記録の読み出し或いは書き込みができるコンビネーションドライブが広く利用されている。コンビネーションドライブの代表的にものとしては、ＣＤの記録および再生とＤＶＤの再生を行うものが一般的である（特許文献１）。このようなコンビネーションドライブにおいては、ＣＤ用レーザとＤＶＤ用レーザとの２つのパワーをそれぞれ制御する必要がある。
【０００３】
図１７を参照して、従来のコンビネーションドライブにおける、レーザパワー制御装置について説明する。レーザパワー制御器ＬＰは、ＣＤ用のレーザのパワーを制御するＣＤレーザパワー制御系ＬＰｃｄと、ＤＶＤ用のレーザのパワーを制御するＤＶＤレーザパワー制御系ＬＰｄｖｄと、レーザパワー制御回路ＬＰ全体の動作を制御するコントローラ１００を含む。
【０００４】
ＣＤレーザパワー制御系ＬＰｃｄは、オフセット調整器１（図面では、「Ｏｆｆｓｅｔ」と表示）、加算器２０、再生用増幅ユニットＵｐ、記録用増幅ユニットＵｒ、レーザ駆動回路７（図面では、「ＬＤＤ」と表示）、レーザダイオードＬＤ１、及びフロントモニタ８（図面では、「ＰＤ」と表示）を含む。レーザ駆動回路７は、再生用増幅ユニットＵｐから供給される再生用レーザ駆動制御信号ＬＤＩ１或いは記録用増幅ユニットＵｒから供給される駆動される記録用レーザ駆動制御信号ＬＤＩ３に基づいて、レーザダイオードＬＤ１に所定の光量を有するＣＤ用レーザ光Ｌｃを照射させる。
【０００５】
フロントモニタ８は、フォトディテクタで構成されており、ＣＤ用レーザ光Ｌｃを受光して、受光量に応じた電圧を有するレーザ強度信号ＰＤ０１を生成する。オフセット調整器１は、加算器２０を介して所定のオフセット値に相当する電位をレーザ強度信号ＰＤ０１に加算して、オフセット補正されたレーザ強度信号Ｓ１を生成する。
【０００６】
再生用増幅ユニットＵｐは、可変ゲイン回路２ｐ（図面では、「ＶＧＡ」と表示）、サンプルホールド回路３ｐ（図面では、「Ｓ／Ｈ」と表示）、およびオペアンプ４ｐを有する。可変ゲイン回路２ｐは、再生時のレーザ強度信号Ｓ１が十分な振幅を有するように増幅してレーザ強度信号Ｓ２ｐを生成する。サンプルホールド回路３ｐは、レーザ強度信号Ｓ２ｐを所定のタイミングでサンプルホールドして、レーザ強度信号Ｓ３ｐを生成する。オペアンプ４ｐは、可変電圧器５ｐから供給される基準電位Ｖｐとレーザ強度信号Ｓ３ｐを比較して、その差に基づいて再生用レーザ駆動制御信号ＬＤＩ１を生成する。
【０００７】
なお、記録用増幅ユニットＵｒは、再生用増幅ユニットＵｐと同様に可変ゲイン回路２ｒ、サンプルホールド回路３ｒ、オペアンプ４ｒ、および可変電圧器５ｒを含む。可変ゲイン回路２ｒは、記録時のレーザ強度信号Ｓ１が十分な振幅を有するように増幅してレーザ強度信号Ｓ２ｒを生成する。サンプルホールド回路３ｒは、レーザ強度信号Ｓ２ｒを所定のタイミングでサンプルホールドして、レーザ強度信号Ｓ３ｒを生成する。オペアンプ４ｒは、可変電圧器５ｒから供給される基準電位Ｖｒとレーザ強度信号３ｒを比較して、その差分に基づいて記録用レーザ駆動制御信号ＬＤＩ３を生成する。
【０００８】
なお、再生用増幅ユニットＵｐと記録用増幅ユニットＵｒとは、それぞれで生成される再生用レーザ駆動制御信号ＬＤＩ１と記録用レーザ駆動制御信号ＬＤＩ３のレベルが違うだけで、構成およびその働きも基本的に同じでる。よって、特に支障のない限り、再生用増幅ユニットＵｐと記録用増幅ユニットＵｒをまとめて、増幅ユニットＵと総称すると共に、可変ゲイン回路２ｐおよび可変ゲイン回路２ｒを可変ゲイン回路２、サンプルホールド回路３ｐおよびサンプルホールド回路３ｒをサンプルホールド回路３、オペアンプ４ｐおよびオペアンプ４ｒをオペアンプ４、可変電圧器５ｐおよび可変電圧器５ｒを可変電圧器５と総称して表現するものとする。また、再生用レーザ駆動制御信号ＬＤＩ１および記録用レーザ駆動制御信号ＬＤＩ３をＣＤ用レーザ駆動制御信号ＬＤＩｃと総称する。
【０００９】
ＤＶＤレーザパワー制御系ＬＰｄｖｄは、オペアンプ６、トランジスタＰＮＰ、レーザダイオードＬＤ２、およびバックモニタ１９（図面では、「ＰＤ」と表示）を含む。トランジスタＰＮＰは、オペアンプ６から供給される再生用レーザ駆動制御信号ＬＤＩ２に基づいて、レーザダイオードＬＤ２に所定の光量を有するＤＶＤ用レーザ光Ｌｄを照射させる。バックモニタ１９は、フロントモニタ８と同様に、フォトディテクタで構成されており、ＤＶＤ用レーザ光Ｌｄを受光して、受光量に応じた電圧を有するレーザ強度信号ＰＤ０２を生成する。オペアンプ６は、レーザ強度信号ＰＤ０２を基準信号ＰＤ２ｒｅｆと比較して、その差分に基づいて、再生用レーザ駆動制御信号ＬＤＩ２を生成する。
【００１０】
なお、コントローラ１００には、レーザパワー制御器ＬＰからレーザパワー制御器ＬＰの構成要素の動作状態を表すフィードバック信号Ｓｆが入力される。さらに、コントローラ１００には、コンビネーションドライブからユーザの指示を表す動作モード信号Ｓｍが入力される。コントローラ１００は、動作モード信号Ｓｍとフィードバック信号Ｓｆとに基づいて、レーザパワー制御器ＬＰの各構成要素の動作を制御する制御信号Ｓｃを生成する。
【特許文献１】特開２００１−２３６７２６号公報
【発明の開示】
【発明が解決しようとする課題】
【００１１】
このように、従来のコンビネーションドライブにおいては、ＣＤレーザパワー制御系ＬＰｃｄとＤＶＤレーザパワー制御系ＬＰｄｖｄが独立しているために、それぞれの構成要素のうちでスペースを要するフォトディテクタがフロントモニタと、バックモニタと重複して設けられている。結果、コンビネーションドライブの小型化が阻害されている。
【００１２】
よって、本発明においては、重複しているフロントモニタとバックモニタを共通化することによって、小型化されたレーザパワー制御装置を提供することを目的とする。
【課題を解決するための手段】
【００１３】
第１の光ディスクおよび第２の光ディスクに排他的にレーザ光線を照射して情報の記録および読出の何れかを行うコンビネーションドライブにおいて、レーザ光線の出力を制御するレーザパワー制御装置であって、
第１の光ディスクに照射する第１のレーザ光線する発生する第１のレーザ光線発生器と、
第１のレーザ光線発生器の駆動電流を生成する第１の駆動電流生成器と、
第２の光ディスクに照射する第２のレーザ光線を発生する第２のレーザ光線発生器と、
第２のレーザ光線発生器の駆動電流を制御する第２の駆動電流生成器と、
第１のレーザ光線と第２のレーザ光線を排他的に受光して、受光したレーザ光線の強度を表す第１のレーザ光線強度信号を生成するレーザ光線強度検出器と、
第１のレーザ光線強度信号に基づいて、第１のレーザ光線発生器を制御する第１のレーザ光線発生電流制御器と、
第１のレーザ光線強度信号に基づいて、第２のレーザ光線発生器を制御する第２のレーザ光線発生電流制御器とを備える。
【発明の効果】
【００１４】
上述のように、本発明においては、複数種類の光ディスの再生或いは記録が可能なコンビネーションドライブにおいて、レーザ光のパワー制御の為に、レーザ光を受光するフォトディテクタを１つにすることによって、レーザパワー制御装置をコンパクトに作成できる。
【発明を実施するための最良の形態】
【００１５】
（第１の実施形態）
図１を参照して、本発明の第１の実施形態にかかるレーザパワー制御装置について説明する。レーザパワー制御装置ＬＰＣ１は、簡単に言えば、図１７に示した従来のレーザパワー制御回路ＬＰＣにおいて、ＤＶＤレーザパワー制御系ＬＰｄｖｄのバックモニタ１９を廃すると共に、ＣＤレーザパワー制御系ＬＰｃｄとＤＶＤレーザパワー制御系ＬＰｄｖｄとが接点１１で接続されて構成されている。さらに、コントローラ１００がコントローラ１００ａに交換されている。
【００１６】
つまり、レーザパワー制御器ＬＰＣ１は、ＤＶＤレーザパワー制御系ＬＰｄｖｄからバックモニタ１９が取り除かれたＤＶＤレーザパワー制御ユニットＬＰｄｖｄ＿１とＣＤレーザパワー制御系ＬＰｃｄからフロントモニタ８が取り除かれたＣＤレーザパワー制御ユニットＬＰｃｄ＿１が、フロントモニタ８を共有している。そして、フロントモニタ８がＣＤ用レーザ光Ｌｃ或いは、ＤＶＤ用レーザ光Ｌｄを受光して生成されるレーザ強度信号ＰＤ０が、接点１１を介してＣＤレーザパワー制御ユニットＬＰｃｄ＿１およびＤＶＤレーザパワー制御ユニットＬＰｄｖｄ＿１に供給される。
【００１７】
なお、フロントモニタ８で生成されるレーザ強度信号ＰＤ０は、一つのフロントモニタ８から生成されているが、本質的には、上述のレーザ強度信号ＰＤ０１およびレーザ強度信号ＰＤ０２と本質的に同じ信号である。なお、紙面の都合上、図１において、再生用増幅ユニットＵｐおよび記録用増幅ユニットＵｒが増幅ユニットＵとして表示されると共に、以降の説明においても増幅ユニットＵとして総称されることは上述の通りである。
【００１８】
次に、１００ａの動作について説明する。１００ａは、コンビネーションドライブ（図示せず）から入力される動作モード信号Ｓｍに基づいて、ＤＶＤドライブとＣＤドライブのいずれが使用されるかを検出すると共に、使用されるドライブに応じてレーザパワー制御器ＬＰＣ１の各要素を制御する制御信号Ｓｃａを生成する。つまり、ＣＤドライブが使用される場合、つまりレーザダイオードＬＤ１が発光される場合には、ＤＶＤレーザパワー制御ユニットＬＰｄｖｄ＿１のオペアンプ６をＯＦＦにして、レーザダイオードＬＤ２を発光させない。なお、具体的にはオペアンプ６の出力を電源にプルアップさせる。結果、ＣＤレーザパワー制御系ＬＰｃｄ（ＣＤレーザパワー制御ユニットＬＰｃｄ＿１）のみが機能して、レーザダイオードＬＤ１のレーザパワーが適切に制御される。
【００１９】
一方、ＤＶＤドライブが使用される場合、つまりレーザダイオードＬＤ２が発光される場合には、ＣＤレーザパワー制御ユニットＬＰｃｄ＿１のオフセット調整器１、可変ゲイン回路２ｐ、サンプルホールド回路３ｐ、およびオペアンプ４ｐをＯＦＦにする。結果、ＤＶＤレーザパワー制御系ＬＰｄｖｄ（ＤＶＤレーザパワー制御ユニットＬＰｄｖｄ＿１）が機能して、レーザダイオードＬＤ２のレーザパワーが適切に制御される。
【００２０】
上述のように、本実施形態においては、フロントモニタ８から出力されるレーザ強度信号ＰＤ０が、接点１１を介してＣＤレーザパワー制御系ＬＰｃｄとＤＶＤレーザパワー制御系ＬＰｄｖｄの両方に供給される。しかし、コンビネーションドライブの動作モード（動作モード信号Ｓｍ）に基づいて、使用されるドライブのレーザパワーのみが適切に制御できる。
【００２１】
（第２の実施形態）
図２を参照して、本実施形態にかかるレーザパワー制御器について説明する。レーザパワー制御器ＬＰＣ２は、図１に示したレーザパワー制御器ＬＰＣ１のレーザパワー制御器ＬＰｄｖ＿１がＤＶＤレーザパワー制御ユニットＬＰｄｖｄ＿２に交換されていると共に、コントローラ１００ａがコントローラ１００ｂに交換されている。なお、ＤＶＤレーザパワー制御ユニットＬＰｄｖｄ＿２は、ＤＶＤレーザパワー制御ユニットＬＰｄｖｄ＿１において、オペアンプ６と接点１１の間に可変ゲイン回路９（図面では、「ＶＧＡ」と表示）が挿入されている。
【００２２】
レーザ強度信号ＰＤ０２（ＰＤ０）は、可変ゲイン回路９でゲイン調整された後に、オペアンプ６に入力される。つまり、本来ＣＤ用レーザ光Ｌｃの検出に用いられるフロントモニタ８を、強度特性等の異なるＤＶＤ用レーザ光Ｌｄの検出のためには、可変ゲイン回路９のＤＶＤ用レーザ光Ｌｄに対する感度（電圧ゲイン）を変更する必要がある。しかし、可変ゲイン回路９によってレーザ強度信号ＰＤ０をゲイン調整することによって、フロントモニタ８自体の電源ゲインの変更を不要としている。言い換えれば、ＣＤ用レーザ光Ｌｃに対して用いられるフロントモニタ８を、フロントモニタ８自体を調整せずに、より大きなエネルギーを有するＤＶＤ用レーザ光Ｌｄに対しても、適正な感度で用いることができる。
【００２３】
次に、コントローラ１００ｂの動作について説明する。コントローラ１００ｂも、コントローラ１００ａと同様に動作モード信号Ｓｍに基づいて、制御信号Ｓｃｂを生成してレーザパワー制御器ＬＰ２を制御する。ＣＤドライブが使用される場合、つまりレーザダイオードＬＤ１が発光される場合には、ＤＶＤレーザパワー制御ユニットＬＰｄｖｄ＿２のオペアンプ６と可変ゲイン回路９をＯＦＦにして、レーザダイオードＬＤ２を発光させない。結果、ＣＤレーザパワー制御ユニットＬＰｃｄ＿１のみが機能して、レーザダイオードＬＤ１のレーザパワーが適切に制御される。
【００２４】
一方、ＤＶＤドライブが使用される場合、つまりレーザダイオードＬＤ２が発光される場合には、コントローラ１００ｂはＣＤレーザパワー制御ユニットＬＰｃｄ＿１のオフセット調整器１、可変ゲイン回路２、サンプルホールド回路３、およびオペアンプ４をＯＦＦにする。結果、ＤＶＤレーザパワー制御ユニットＬＰｄｖｄ＿２のみが機能して、レーザダイオードＬＤ２のレーザパワーが適切に制御される。
【００２５】
（第３の実施形態）
図３を参照して、本実施形態にかかるレーザパワー制御器について説明する。レーザパワー制御器ＬＰＣ３は、図２に示したレーザパワー制御器ＬＰＣ２のレーザパワー制御器ＬＰｄｖ＿２がＤＶＤレーザパワー制御ユニットＬＰｄｖｄ＿３に交換されていると共に、コントローラ１００ｂがコントローラ１００ｃに交換されている。なお、ＤＶＤレーザパワー制御ユニットＬＰｄｖｄ＿３は、ＤＶＤレーザパワー制御ユニットＬＰｄｖｄ＿２において、可変ゲイン回路９と接点１１の間にオフセット調整器１８が加算器２２を介して追加されている。
【００２６】
このオフセット調整器１８によって、レーザパワー制御器ＬＰＣ２に比べて、フロントモニタ８の電圧ゲインを変更することなく、レーザダイオードＬＤ２から照射されるＤＶＤ用レーザ光Ｌｄに対する感度をさらに精度よく調整できる。
【００２７】
次に、１００ｃの動作について説明する。１００ｃは、動作モード信号Ｓｍに基づいて制御信号Ｓｃｃを生成して、レーザパワー制御器ＬＰＣ３を制御する。ＣＤドライブが使用される場合、つまりレーザダイオードＬＤ１が発光される場合には、ＤＶＤレーザパワー制御ユニットＬＰｄｖｄ＿３のオペアンプ６、可変ゲイン回路９、およびオフセット調整器１８をＯＦＦにして、レーザダイオードＬＤ２を発光させない。結果、ＣＤレーザパワー制御ユニットＬＰｃｄ＿１のみが機能して、レーザダイオードＬＤ１のレーザパワーが適切に制御される。
【００２８】
一方、ＤＶＤドライブが使用される場合、つまりレーザダイオードＬＤ２が発光される場合には、コントローラ１００ｃはＣＤレーザパワー制御ユニットＬＰｃｄ＿１のオフセット調整器１、可変ゲイン回路２、サンプルホールド回路３、およびオペアンプ４をＯＦＦにする。結果、ＤＶＤレーザパワー制御ユニットＬＰｄｖｄ＿３のみが機能して、レーザダイオードＬＤ２のレーザパワーが適切に制御される。
【００２９】
（第４の実施形態）
図４を参照して、本実施形態にかかるレーザパワー制御器について説明する。レーザパワー制御器ＬＰＣ４は、図２に示したレーザパワー制御器ＬＰＣ２のレーザパワー制御器ＬＰｄｖ＿２がＤＶＤレーザパワー制御ユニットＬＰｄｖｄ＿４に交換されていると共に、コントローラ１００ｃがコントローラ１００ｄに交換されている。なお、ＤＶＤレーザパワー制御ユニットＬＰｄｖｄ＿４は、オペアンプ６に基準電位ＰＤ２ｒｅｆの代わりに、可変電圧器２５を接続している。この可変電圧器２５によって、所定の範囲内の任意の電圧を基準電位として設定できるので、レーザパワー制御器ＬＰＣ２に比べて、ＤＶＤ用レーザ光Ｌｄに対する感度をさらに精度よく調整できる。
【００３０】
次に、コントローラ１００ｄの動作について説明する。コントローラ１００ｄは、動作モード信号Ｓｍに基づいて、制御信号Ｓｃｄを生成して、レーザパワー制御器ＬＰＣ４を制御する。つまり、ＣＤドライブが使用される場合には、ＤＶＤレーザパワー制御ユニットＬＰｄｖｄ＿４のオペアンプ６および可変ゲイン回路９をＯＦＦにして、レーザダイオードＬＤ２を発光させない。結果、ＣＤレーザパワー制御ユニットＬＰｃｄ＿１のみが機能して、レーザダイオードＬＤ１のレーザパワーが適切に制御される。
【００３１】
一方、ＤＶＤドライブが使用される場合には、コントローラ１００ｄはＣＤレーザパワー制御ユニットＬＰｃｄ＿１のオフセット調整器１、可変ゲイン回路２、サンプルホールド回路３、およびオペアンプ４をＯＦＦにする。結果、ＤＶＤレーザパワー制御ユニットＬＰｄｖｄ＿３のみが機能して、レーザダイオードＬＤ２のレーザパワーが適切に制御される。
【００３２】
（第５の実施形態）
図５を参照して、本実施形態にかかるレーザパワー制御器について説明する。レーザパワー制御器ＬＰＣ５は、図１に示したレーザパワー制御器ＬＰＣ１のレーザパワー制御器ＬＰｄｖ＿１がＤＶＤレーザパワー制御ユニットＬＰｄｖｄ＿５に交換されていると共に、コントローラ１００ａがコントローラ１００ｅに交換されている。なお、ＤＶＤレーザパワー制御ユニットＬＰｄｖｄ＿５においては、オペアンプ６は接点１１ではなくて、接点１２によって、ＣＤレーザパワー制御ユニットＬＰｃｄ＿１の加算器２０と増幅ユニットＵの間に接続されている。
【００３３】
結果、フロントモニタ８からの出力であるレーザ強度信号ＰＤ０（ＰＤ０１）は、オフセット調整器１によりオフセット調整された後に、オペアンプ６に入力される。つまり、レーザパワー制御器ＬＰＣ５は、上述のレーザパワー制御器ＬＰサンプルホールド回路３と同様に、２種類のレーザの発光レベルの違いを吸収できるという効果を有する。しかしながら、オフセット調整回路１をＣＤレーザパワー制御ユニットＬＰｃｄ＿１とＤＶＤレーザパワー制御ユニットＬＰｄｖｄ＿１で共有することによって、レーザパワー制御器ＬＰＣ５はレーザパワー制御器ＬＰＣ３に比べて回路規模を低減できる。
【００３４】
次に、コントローラ１００ｅの動作について説明する。コントローラ１００ｅは、動作モード信号Ｓｍに基づいて、制御信号Ｓｃｅを生成して、レーザパワー制御器ＬＰＣ５を制御する。つまり、ＣＤドライブが使用される場合には、ＤＶＤレーザパワー制御ユニットＬＰｄｖｄ＿５のオペアンプ６をＯＦＦにして、レーザダイオードＬＤ２を発光させない。結果、ＣＤレーザパワー制御ユニットＬＰｃｄ＿１のみが機能して、レーザダイオードＬＤ１のレーザパワーが適切に制御される。
【００３５】
一方、ＤＶＤドライブが使用される場合には、コントローラ１００ｅはＣＤレーザパワー制御ユニットＬＰｃｄ＿１の可変ゲイン回路２、サンプルホールド回路３、およびオペアンプ４をＯＦＦにする。ただし、オフセット調整器１のオフセット値はレーザダイオードＬＤ２に合わせた値に変更する。つまり、本実施形態においては、コントローラ１００ｅは、オフセット調整器１のオフセット値を、ＣＤ用とＤＶＤ用の少なくとも２種類で切り替える。
【００３６】
（第６の実施形態）
図６を参照して、本実施形態にかかるレーザパワー制御器について説明する。レーザパワー制御器ＬＰＣ６は、図５に示したレーザパワー制御器ＬＰＣ５のレーザパワー制御器ＬＰｄｖ＿５がＤＶＤレーザパワー制御ユニットＬＰｄｖｄ＿６に交換されていると共に、コントローラ１００ｅがコントローラ１００ｆに交換されている。なお、ＤＶＤレーザパワー制御ユニットＬＰｄｖｄ＿６においては、オペアンプ６と接点１２の間に可変ゲイン回路９が追加されている。
【００３７】
結果、可変ゲイン回路９から出力されたレーザ強度信号ＰＤ０（ＰＤ０１）は、加算器２０およびオフセット調整器１でオフセット調整された後に、さらに可変ゲイン回路９でケイン調整された後にオペアンプ６に入力される。このように構成することで、図３に示したレーザパワー制御器ＬＰＣ３におけるのと同様の効果が得られるが、オフセット調整器１および加算器２０をＣＤレーザパワー制御ユニットＬＰｃｄ＿１と共有化することにより、レーザパワー制御器ＬＰＣ３に比べて回路規模を小さくできる。
【００３８】
次に、コントローラ１００ｆの動作について説明する。コントローラ１００ｆは、動作モード信号Ｓｍに基づいて、制御信号Ｓｃｆを生成して、レーザパワー制御器ＬＰＣ６を制御する。つまり、ＣＤドライブが使用される場合には、ＤＶＤレーザパワー制御ユニットＬＰｄｖｄ＿６のオペアンプ６および可変ゲイン回路９をＯＦＦにして、レーザダイオードＬＤ２を発光させない。結果、ＣＤレーザパワー制御ユニットＬＰｃｄ＿１のみが機能して、レーザダイオードＬＤ１のレーザパワーが適切に制御される。
【００３９】
一方、ＤＶＤドライブが使用される場合には、コントローラ１００ｆはＣＤレーザパワー制御ユニットＬＰｃｄ＿１の可変ゲイン回路２、サンプルホールド回路３、およびオペアンプ４をＯＦＦにする。ただし、オフセット調整器１のオフセット値はレーザダイオードＬＤ２に合わせた値に変更する。なお、可変ゲイン回路２および可変ゲイン回路９のゲイン値は固定である。
【００４０】
（第７の実施形態）
図７を参照して、本実施形態にかかるレーザパワー制御器について説明する。レーザパワー制御器ＬＰＣ７は、図６に示したレーザパワー制御器ＬＰＣ６のレーザパワー制御器ＬＰｄｖ＿６がＤＶＤレーザパワー制御ユニットＬＰｄｖｄ＿７に交換されていると共に、コントローラ１００ｆがコントローラ１００ｇに交換されている。なお、ＤＶＤレーザパワー制御ユニットＬＰｄｖｄ＿７においては、オペアンプ６の基準電位ＰＤ２ｒｅｆが可変電圧器２５に交換されている。これにより、基準電位を所定の範囲の中で任意な値に設定できるので、レーザパワー制御器ＬＰＣ６に比べて、オペアンプ６による増幅特性をより細やかに調整できる。
【００４１】
次に、コントローラ１００ｇの動作について説明する。コントローラ１００ｇは、動作モード信号Ｓｍに基づいて、制御信号Ｓｃｇを生成して、レーザパワー制御器ＬＰＣ７を制御する。つまり、ＣＤドライブが使用される場合には、ＤＶＤレーザパワー制御ユニットＬＰｄｖｄ＿７のオペアンプ６および可変ゲイン回路９をＯＦＦにして、レーザダイオードＬＤ２を発光させない。結果、ＣＤレーザパワー制御ユニットＬＰｃｄ＿１のみが機能して、レーザダイオードＬＤ１のレーザパワーが適切に制御される。
【００４２】
一方、ＤＶＤドライブが使用される場合には、コントローラ１００ｇはＣＤレーザパワー制御ユニットＬＰｃｄ＿１の可変ゲイン回路２、サンプルホールド回路３、およびオペアンプ４をＯＦＦにする。ただし、オフセット調整器１のオフセット値はレーザダイオードＬＤ２に合わせた値に変更する。なお、可変ゲイン回路２および可変ゲイン回路９のゲイン値は固定である。また、可変電圧器５と可変電圧器２５の電圧値は、所定の値に固定される。
【００４３】
（第８の実施形態）
図８を参照して、本実施形態にかかるレーザパワー制御器について説明する。レーザパワー制御器ＬＰＣ８は、図１に示したレーザパワー制御器ＬＰＣ１のレーザパワー制御器ＬＰｄｖ＿１がＤＶＤレーザパワー制御ユニットＬＰｄｖｄ＿８に交換されていると共に、コントローラ１００ａがコントローラ１００ｈに交換されている。なお、ＤＶＤレーザパワー制御ユニットＬＰｄｖｄ＿８においては、ＤＶＤレーザパワー制御ユニットＬＰｄｖｄ＿２のオペアンプ６に、ＣＤレーザパワー制御ユニットＬＰｃｄ＿１の可変ゲイン回路２の出力であるレーザ強度信号Ｓ２が接点１３を介して入力される。これは、図３に示したレーザパワー制御器ＬＰＣ３において、ＤＶＤレーザパワー制御ユニットＬＰｄｖｄ＿３の可変ゲイン回路９、オフセット調整器１８、および加算器２２を廃止して、その機能をＣＤレーザパワー制御ユニットＬＰｃｄ＿１のオフセット調整器１、可変ゲイン回路９、および加算器２０で代行することである。このように構成することによって、レーザパワー制御器ＬＰＣ３に比べて、レーザパワー制御器ＬＰＣ８の回路規模を小さくできる。
【００４４】
次に、コントローラ１００ｈの動作について説明する。コントローラ１００ｈは、動作モード信号Ｓｍに基づいて、制御信号Ｓｃｈを生成して、レーザパワー制御器ＬＰＣ８を制御する。つまり、ＣＤドライブが使用される場合には、ＤＶＤレーザパワー制御ユニットＬＰｄｖｄ＿８のオペアンプ６をＯＦＦにして、レーザダイオードＬＤ２を発光させない。結果、ＣＤレーザパワー制御ユニットＬＰｃｄ＿１のみが機能して、レーザダイオードＬＤ１のレーザパワーが適切に制御される。
【００４５】
一方、ＤＶＤドライブが使用される場合には、コントローラ１００ｈはＣＤレーザパワー制御ユニットＬＰｃｄ＿１の可変ゲイン回路２、サンプルホールド回路３、およびオペアンプ４をＯＦＦにする。ただし、オフセット調整器１のオフセット値および可変ゲイン回路２のゲイン値は、レーザダイオードＬＤ２に合わせた値に変更する。
【００４６】
（第９の実施形態）
図９を参照して、本実施形態にかかるレーザパワー制御器について説明する。レーザパワー制御器ＬＰＣ９は、図８に示したレーザパワー制御器ＬＰＣ８のレーザパワー制御器ＬＰｄｖ＿８がＤＶＤレーザパワー制御ユニットＬＰｄｖｄ＿９に交換されていると共に、コントローラ１００ｈがコントローラ１００ｉに交換されている。なお、ＤＶＤレーザパワー制御ユニットＬＰｄｖｄ＿９においては、オペアンプ６の基準電位ＰＤ２ｒｅｆが可変電圧器２５に交換されている。これにより、基準電位を所定の範囲の中で適切な値に設定できるので、レーザパワー制御器ＬＰＣ８に比べて、オペアンプ６による増幅がより細やかに調整できる。
【００４７】
次に、コントローラ１００ｉの動作について説明する。コントローラ１００ｉは、動作モード信号Ｓｍに基づいて、制御信号Ｓｃｉを生成して、レーザパワー制御器ＬＰＣ９を制御する。つまり、ＣＤドライブが使用される場合には、ＤＶＤレーザパワー制御ユニットＬＰｄｖｄ＿９のオペアンプ６をＯＦＦにして、レーザダイオードＬＤ２を発光させない。結果、ＣＤレーザパワー制御ユニットＬＰｃｄ＿１のみが機能して、レーザダイオードＬＤ１のレーザパワーが適切に制御される。
【００４８】
一方、ＤＶＤドライブが使用される場合には、コントローラ１００ｉはＣＤレーザパワー制御ユニットＬＰｃｄ＿１において、サンプルホールド回路３およびオペアンプ４をＯＦＦにする。そして、オフセット調整器１のオフセット値および可変ゲイン回路２のゲイン値は、それぞれ、レーザダイオードＬＤ１およびレーザダイオードＬＤ２に合わせた値に変更する。なお、可変電圧器５および可変電圧器２５は、所定の値に固定される。
【００４９】
（第１０の実施形態）
図１０を参照して、本実施形態にかかるレーザパワー制御器について説明する。レーザパワー制御器ＬＰＣ１０は、図８に示したレーザパワー制御器ＬＰＣ８のレーザパワー制御器ＬＰｄｖ＿８がＤＶＤレーザパワー制御ユニットＬＰｄｖｄ＿１０に交換されていると共に、コントローラ１００ｈがコントローラ１００ｊに交換されている。なお、ＤＶＤレーザパワー制御ユニットＬＰｄｖｄ＿１０においては、ＤＶＤレーザパワー制御ユニットＬＰｄｖｄ＿１０のオペアンプ６に、ＣＤレーザパワー制御ユニットＬＰｃｄ＿１のサンプルホールド回路３の出力であるレーザ強度信号Ｓ３が接点１４を介して入力される。これにより、サンプルホールド回路３中のフィルタにより、高周波ノイズが除されたレーザ強度信号Ｓ３をオペアンプ６に入力できる。
【００５０】
次に、コントローラ１００ｊの動作について説明する。コントローラ１００ｊは、動作モード信号Ｓｍに基づいて、制御信号Ｓｃｊを生成して、レーザパワー制御器ＬＰＣ１０を制御する。つまり、ＣＤドライブが使用される場合には、ＤＶＤレーザパワー制御ユニットＬＰｄｖｄ＿１０のオペアンプ６をＯＦＦにして、レーザダイオードＬＤ２を発光させない。結果、ＣＤレーザパワー制御ユニットＬＰｃｄ＿１のみが機能して、レーザダイオードＬＤ１のレーザパワーが適切に制御される。
【００５１】
一方、ＤＶＤドライブが使用される場合には、コントローラ１００ｊはＣＤレーザパワー制御ユニットＬＰｃｄ＿１においては、オペアンプ４をＯＦＦにする一方、サンプルホールド回路３は常時稼働させる。なお、オフセット調整器１のオフセット値および可変ゲイン回路２のゲイン値は、それぞれ、レーザダイオードＬＤ１およびレーザダイオードＬＤ２に合わせた値に変更する。
【００５２】
（第１１の実施形態）
図１１を参照して、本実施形態にかかるレーザパワー制御器について説明する。レーザパワー制御器ＬＰＣ１１は、図１０に示したレーザパワー制御器ＬＰＣ１０のレーザパワー制御器ＬＰｄｖ＿１０がＤＶＤレーザパワー制御ユニットＬＰｄｖｄ＿１１に交換されていると共に、コントローラ１００ｊがコントローラ１００ｋに交換されている。なお、ＤＶＤレーザパワー制御ユニットＬＰｄｖｄ＿１１においては、オペアンプ６の基準電位ＰＤ２ｒｅｆが可変電圧器２５に交換されている。これにより、基準電位を所定の範囲の中で適切な値に設定できるので、レーザパワー制御器ＬＰＣ１０に比べて、オペアンプ６による増幅特性をより細やかに調整できる。
【００５３】
次に、コントローラ１００ｋの動作について説明する。コントローラ１００ｋは、動作モード信号Ｓｍに基づいて、制御信号Ｓｃｋを生成して、レーザパワー制御器ＬＰＣ１１を制御する。つまり、ＣＤドライブが使用される場合には、ＤＶＤレーザパワー制御ユニットＬＰｄｖｄ＿１１のオペアンプ６をＯＦＦにして、レーザダイオードＬＤ２を発光させない。結果、ＣＤレーザパワー制御ユニットＬＰｃｄ＿１のみが機能して、レーザダイオードＬＤ１のレーザパワーが適切に制御される。
【００５４】
一方、ＤＶＤドライブが使用される場合には、コントローラ１００ｋはＣＤレーザパワー制御ユニットＬＰｃｄ＿１において、オペアンプ４をＯＦＦにする一方、サンプルホールド回路３は常時稼働させる。なお、オフセット調整器１のオフセット値および可変ゲイン回路２のゲイン値は、それぞれ、レーザダイオードＬＤ１およびレーザダイオードＬＤ２に合わせた値に変更する。そして、可変電圧器５および可変電圧器２５は、所定の値に固定される。
【００５５】
（第１２の実施形態）
図１２を参照して、本実施形態にかかるレーザパワー制御器について説明する。レーザパワー制御器ＬＰＣ１２は、図１１に示したレーザパワー制御器ＬＰＣ１１のレーザパワー制御器ＬＰｄｖ＿１１がＤＶＤレーザパワー制御ユニットＬＰｄｖｄ＿１２に交換されていると共に、コントローラ１００ｋがコントローラ１００ｌに交換されている。なお、ＤＶＤレーザパワー制御ユニットＬＰｄｖｄ＿１２においては、ＤＶＤレーザパワー制御ユニットＬＰｄｖｄ＿１からオペアンプ６および可変電圧器２５が削除されている。さらに、トランジスタＰＮＰには、ＣＤレーザパワー制御ユニットＬＰｃｄ＿１の増幅ユニットＵから出力されるＣＤ用レーザ駆動制御信号ＬＤＩｃが入力される。
【００５６】
つまり、レーザダイオードＬＤ２の駆動電流の増幅機能をすべて、ＣＤレーザパワー制御ユニットＬＰｃｄ＿１の増幅ユニットＵに代行させることによって、レーザパワー制御器ＬＰＣ１可変ゲイン回路２の回路規模を抑えている。なお、ＣＤ用レーザ駆動制御信号ＬＤＩｃに基づいて、トランジスタＰＮＰだけのＤＶＤレーザパワー制御ユニットＬＰｄｖｄ＿１２はレーザダイオードＬＤ２のＤＶＤ用レーザ光Ｌｄのパワーを制御できる。
【００５７】
次に、コントローラ１００ｌの動作について説明する。コントローラ１００ｌは、動作モード信号Ｓｍに基づいて、制御信号Ｓｃｌを生成して、レーザパワー制御器ＬＰＣ１２を制御する。つまり、ＣＤドライブが使用される場合には、トランジスタＰＮＰをＯＦＦさせて停止させることによって、レーザダイオードＬＤ２を発光させない。結果、ＣＤレーザパワー制御ユニットＬＰｃｄ＿１のみが機能して、レーザダイオードＬＤ１のレーザパワーが適切に制御される。
【００５８】
一方、ＤＶＤドライブが使用される場合には、コントローラ１００ｌはＣＤレーザパワー制御ユニットＬＰｃｄ＿１において、レーザ駆動回路７をＯＦＦにする一方、サンプルホールド回路３は常時稼働させる。なお、オフセット調整器１のオフセット値および可変ゲイン回路２のゲイン値は、それぞれ、レーザダイオードＬＤ１およびレーザダイオードＬＤ２に合わせた値に変更する。なお、可変電圧器５および可変ゲイン回路２は、所定の値に固定される。
【００５９】
（第１３の実施形態）
図１３を参照して、本実施形態にかかるレーザパワー制御器について説明する。レーザパワー制御器ＬＰＣ１３は、図１２に示したレーザパワー制御器ＬＰＣ１２のＣＤレーザパワー制御ユニットＬＰｃｄ＿１がＣＤレーザパワー制御ユニットＬＰｃｄ＿１３に交換されていると共に、コントローラ１００ｌがコントローラ１００ｍに交換されている。なお、ＣＤレーザパワー制御ユニットＬＰｃｄ＿１３においては、加算器２０とフロントモニタ８の間に、極性反転器１６（図面では、「ＰＯＬ  ｓｅｌ」と表示）が追加されている。つまり、ＣＤレーザパワー制御ユニットＬＰｃｄ＿１とフロントモニタ８の間に、極性反転器１６が挿入されているとも言える。
【００６０】
なお、極性反転器１６は、コントローラ１００ｍに指示によって、入力される信号の極性を反転させて出力する機能を有する。つまり、フロントモニタ８から出力されたレーザ強度信号ＰＤ０（ＰＤ０１）は、必要に応じて、その極性が反転された後に、ＣＤレーザパワー制御ユニットＬＰｃｄ＿１に入力される。具体的には、ＣＤレーザパワー制御ユニットＬＰｃｄ＿１とＤＶＤレーザパワー制御ユニットＬＰｄｖｄ＿１２の制御極性が異なる場合には、駆動するダイオード（レーザダイオードＬＤ１またはレーザダイオードＬＤ２）に応じて、レーザ強度信号ＰＤ０の極性を反転させる。
【００６１】
次に、コントローラ１００ｍの動作について説明する。コントローラ１００ｍは、動作モード信号Ｓｍに基づいて、制御信号Ｓｃｍを生成して、レーザパワー制御器ＬＰＣ１３を制御する。つまり、ＣＤドライブが使用される場合には、トランジスタＰＮＰをＯＦＦさせて停止させることによって、レーザダイオードＬＤ２を発光させない。結果、ＣＤレーザパワー制御ユニットＬＰｃｄ＿１３のみが機能して、レーザダイオードＬＤ１のレーザパワーが適切に制御される。
【００６２】
一方、ＤＶＤドライブが使用される場合には、コントローラ１００ｍはＣＤレーザパワー制御ユニットＬＰｃｄ＿１３において、レーザ駆動回路７をＯＦＦにする一方、サンプルホールド回路３は常時稼働させる。なお、オフセット調整器１のオフセット値および可変ゲイン回路２のゲイン値は、それぞれ、レーザダイオードＬＤ１およびレーザダイオードＬＤ２に合わせた値に変更する。なお、可変電圧器５および可変ゲイン回路２は、所定の値に固定される。ＣＤレーザパワー制御ユニットＬＰｃｄ＿１とＤＶＤレーザパワー制御ユニットＬＰｄｖｄ＿１２の制御極性が異なる場合には、駆動するダイオード（レーザダイオードＬＤ１またはレーザダイオードＬＤ２）に応じて、極性反転器１６によってレーザ強度信号ＰＤ０（ＰＤ０１）の極性を反転させる。
【００６３】
（第１４の実施形態）
図１４を参照して、本実施形態にかかるレーザパワー制御器について説明する。レーザパワー制御器ＬＰＣ１４は、図１２に示したレーザパワー制御器ＬＰＣ１２のＣＤレーザパワー制御ユニットＬＰｃｄ＿１がｌｐｃｄ＿１４に交換されていると共に、コントローラ１００ｌがコントローラ１００ｎに交換されている。なお、ＣＤレーザパワー制御ユニットＬＰｃｄ＿１４においては、オペアンプ４が極性反転可能オペアンプ４’に交換されている。これにより、レーザパワー制御器ＬＰＣ１３と同様に、ＣＤレーザパワー制御ユニットＬＰｃｄ＿１４とＤＶＤレーザパワー制御ユニットＬＰｄｖｄ＿１２の制御極性が異なる場合には、駆動するダイオード（レーザダイオードＬＤ１またはレーザダイオードＬＤ２）に応じて、極性反転可能オペアンプ４’の極性を反転させる。
【００６４】
次に、コントローラ１００ｎの動作について説明する。コントローラ１００ｎは、動作モード信号Ｓｍに基づいて、制御信号Ｓｃｎを生成して、レーザパワー制御器ＬＰＣ１３を制御する。つまり、ＣＤドライブが使用される場合には、トランジスタＰＮＰをＯＦＦさせて停止させることによって、レーザダイオードＬＤ２を発光させない。結果、ＣＤレーザパワー制御ユニットＬＰｃｄ＿１４のみが機能して、レーザダイオードＬＤ１のレーザパワーが適切に制御される。
【００６５】
一方、ＤＶＤドライブが使用される場合には、コントローラ１００ｎはＣＤレーザパワー制御ユニットＬＰｃｄ＿１４において、レーザ駆動回路７をＯＦＦにする一方、サンプルホールド回路３は常時稼働させる。なお、オフセット調整器１のオフセット値および可変ゲイン回路２のゲイン値は、それぞれ、レーザダイオードＬＤ１およびレーザダイオードＬＤ２に合わせた値に変更する。なお、可変電圧器５および可変ゲイン回路２は、所定の値に固定される。ＣＤレーザパワー制御ユニットＬＰｃｄ＿１４とＤＶＤレーザパワー制御ユニットＬＰｄｖｄ＿１２の制御極性が異なる場合には、駆動するダイオード（レーザダイオードＬＤ１またはレーザダイオードＬＤ２）に応じて、極性反転可能オペアンプ４’の極性を反転させる。
【００６６】
（第１５の実施形態）
図１５を参照して、本実施形態にかかるレーザパワー制御器について説明する。レーザパワー制御器ＬＰＣ１５は、図１４に示したレーザパワー制御器ＬＰＣ１４と同様に構成されている。しかしながら、コントローラ１００ｎがコントローラ１００ｏに交換されている。
【００６７】
本実施形態においては、極性反転可能オペアンプ４’は、内部にスイッチＳＷ１とスイッチＳＷ２とを備える。この２種類のスイッチＳＷ１とＳＷ２の動作タイミングをコントローラ１００ｏによって、制御することによって、出力極性が反転できる。
【００６８】
（第１６の実施形態）
図１６を参照して、本実施形態にかかるレーザパワー制御器について説明する。図１６に示すように、レーザパワー制御器ＬＰＣ１６は、レーザダイオードＬＤ１、レーザ駆動回路７、フロントモニタ８、バックモニタ１９、オペアンプ４１、可変電圧器５１、サンプルホールド回路３１、サンプルホールド回路３２、可変ゲイン回路２、オフセット調整器１、加算器２０、オペアンプ４２、可変電圧器５２、スイッチ６０、ＤＶＤレーザパワー制御ユニットＬＰｄｖｄ＿１０、およびコントローラ１００ｑを含む。なお、オペアンプ４１およびオペアンプ４２は負極性のコンパレータで構成され、オペアンプ６は正極性のコンパレータで構成されている。
【００６９】
なお、スイッチ６０は、スイッチ６０ａとスイッチ６０ｂを含む。スイッチ６０ａは、バックモニタ１９の出力信号の強度に応じてフロントモニタ８、サンプルホールド回路３２およびサンプルホールド回路３１のいずれかを選択する。スイッチ６０ｂは、バックモニタ１９の出力信号の強度に応じて、スイッチ６０ａかバックモニタ１９のいずれかを選択する。つまり、スイッチ６０は、バックモニタ１９からの出力に基づいて、サンプルホールド回路３１、サンプルホールド回路３２、およびフロントモニタ８からの出力のいずれかを選択してＤＶＤレーザパワー制御ユニットＬＰｄｖｄ＿１０に出力する。また、オフセット調整器、可変ゲイン回路、およびサンプルホールド回路は、上述の順番で接続される以外にも、適宜それらの順番を入れ替えて接続してもよいことは言うまでもない。
【００７０】
次に、コントローラ１００ｏの動作について説明する。コントローラ１００ｑは、動作モード信号Ｓｍに基づいて、制御信号Ｓｃｏを生成して、レーザパワー制御器ＬＰＣ１３を制御する。つまり、ＣＤドライブが使用される場合には、オペアンプ６をＯＦＦさせて、レーザダイオードＬＤ２を発光させない。
【００７１】
一方、ＤＶＤドライブが使用される場合には、コントローラ１００ｑは以下の如く制御する。
【００７２】
スイッチ６０ａがサンプルホールド回路３１を選択し、スイッチ６０ｂがスイッチ６０ａを選択している場合は、可変ゲイン回路２、サンプルホールド回路３２、オペアンプ４１、およびオペアンプ４２をＯＦＦにする。そして、レーザダイオードＬＤ１およびレーザダイオードＬＤ２の発光時には、オフセット調整器１のオフセット値を変更する。なお、サンプルホールド回路３１は常時稼働させる。
【００７３】
スイッチ６０ａがサンプルホールド回路３２を選択し、スイッチ６０ｂがスイッチ６０ａを選択している場合は、サンプルホールド回路３１、オペアンプ４１、およびオペアンプ４２をＯＦＦにして、レーザダイオードＬＤ１およびレーザダイオードＬＤ２の発光時には、オフセット調整器１のオフセット値と可変ゲイン回路２のゲインを変更する。一方、サンプルホールド回路３１は常時稼働である。
【００７４】
スイッチ６０ａがバックモニタ１９を選択し、スイッチ６０ｂがスイッチ６０ａを選択している場合は、オフセット調整器１、可変ゲイン回路２、サンプルホールド回路３１、サンプルホールド回路３２、オペアンプ４１、およびオペアンプ４２をＯＦＦにする。
【００７５】
一方スイッチ６０ｂがバックモニタ１９を選択している場合には、オフセット調整器１、可変ゲイン回路２、サンプルホールド回路３１、サンプルホールド回路３２、オペアンプ４１、およびオペアンプ４２をＯＦＦにする。
【００７６】
このように構成することによって、状況に応じての複数の特性の選択が可能であり自由度が増加する。さらに、バックモニタを利用することができるので、従来の方式のレーザパワー制御も可能である。
【産業上の利用可能性】
【００７７】
小スペース化が求められているコンビネーションドライブに適用できる。
【図面の簡単な説明】
【００７８】
【図１】本発明の第１の実施形態にかかるレーザパワー制御器の構成を示すブロック図。
【図２】本発明の第２の実施形態にかかるレーザパワー制御器の構成を示すブロック図。
【図３】本発明の第３の実施形態にかかるレーザパワー制御器の構成を示すブロック図。
【図４】本発明の第４の実施形態にかかるレーザパワー制御器の構成を示すブロック図。
【図５】本発明の第５の実施形態にかかるレーザパワー制御器の構成を示すブロック図。
【図６】本発明の第６の実施形態にかかるレーザパワー制御器の構成を示すブロック図。
【図７】本発明の第７の実施形態にかかるレーザパワー制御器の構成を示すブロック図。
【図８】本発明の第８の実施形態にかかるレーザパワー制御器の構成を示すブロック図。
【図９】本発明の第９の実施形態にかかるレーザパワー制御器の構成を示すブロック図。
【図１０】本発明の第１０の実施形態にかかるレーザパワー制御器の構成を示すブロック図。
【図１１】本発明の第１１の実施形態にかかるレーザパワー制御器の構成を示すブロック図。
【図１２】本発明の第１２の実施形態にかかるレーザパワー制御器の構成を示すブロック図。
【図１３】本発明の第１３の実施形態にかかるレーザパワー制御器の構成を示すブロック図。
【図１４】本発明の第１４の実施形態にかかるレーザパワー制御器の構成を示すブロック図。
【図１５】本発明の第１５の実施形態にかかるレーザパワー制御器の構成を示すブロック図。
【図１６】本発明の第１６の実施形態にかかるレーザパワー制御器の構成を示すブロック図。
【図１７】従来のこのビネネーションドライブに用いられるレザパワー制御器の構成を示すブロック図。
【符号の説明】
【００７９】
ＬＰ、ＬＰＣ１〜ＬＰＣ１６  レーザパワー制御器
ＬＰｃｄ、ＬＰｃｄ＿１、ＬＰｃｄ＿１３、ＬＰｃｄ＿１４  ＣＤレーザパワー制御系
ＬＰｄｖｄ、ＬＰｄｖｄ＿１〜ＬＰｄｖｄ＿１２
ＤＶＤレーザパワー制御ユニット
Ｕ  増幅ユニット
Ｕｐ  再生用増幅ユニット
Ｕｒ  記録用増幅ユニット
ＰＮＰ  トランジスタ
ＬＤ１  レーザダイオード
ＬＤ２  レーザダイオード
１００、１００ａ〜１００ｑ  コントローラ
１  オフセット調整器
２  可変ゲイン回路
３  サンプルホールド回路
４、４  オペアンプ
５  可変電圧器
６  オペアンプ
７  レーザ駆動回路
８  フロントモニタ
９  可変ゲイン回路
１８  オフセット調整器
１１、１２、１３、１４  接点
２０  加算器
２２  加算器
２５  可変電圧器
３１  サンプルホールド回路
３２  サンプルホールド回路
４１  オペアンプ
４２  オペアンプ
６０、６０ａ、６０ｂ  スイッチ
【図１】
2005085312.tif 000003
【図２】
2005085312.tif 000004
【図３】
2005085312.tif 000005
【図４】
2005085312.tif 000006
【図５】
2005085312.tif 000007
【図６】
2005085312.tif 000008
【図７】
2005085312.tif 000009
【図８】
2005085312.tif 000010
【図９】
2005085312.tif 000011
【図１０】
2005085312.tif 000012
【図１１】
2005085312.tif 000013
【図１２】
2005085312.tif 000014
【図１３】
2005085312.tif 000015
【図１４】
2005085312.tif 000016
【図１５】
2005085312.tif 000017
【図１６】
2005085312.tif 000018
【図１７】
2005085312.tif 000019